(57)【要約】【課題】本発明は、異常が発生した電気機器への電力供給を遮断することを目的とする。【解決手段】電力供給制御システム１０１は、電気機器５０が接続される差込口システム４０と、電気機器５０への電力供給を制御する制御装置３０と、を備える。差込口システム４０は、電気機器５０への電力供給を遮断する遮断回路４３と、電気機器５０に流れる電流を測定する電流計測部４１と、を備える。制御装置３０は、電流計測部４１による電流測定値が電気機器５０の定格電流値以上の場合に、遮断回路４３に電気機器５０への電力供給を遮断させる。【選択図】図１
2018196232.tif 000002
【特許請求の範囲】
【請求項１】
電気機器が接続される差込口システムと、
前記電気機器への電力供給を制御する制御装置と、を備え、
前記差込口システムは、
前記電気機器への電力供給を遮断する遮断回路と、
前記電気機器に流れる電流を測定する電流計測部と、を備え、
前記制御装置は、
前記電流計測部による電流測定値が前記電気機器の定格電流値以上の場合に、前記遮断回路に前記電気機器への電力供給を遮断させる、
電力供給制御システム。
【請求項２】
前記制御装置は、前記電流計測部による電流測定値が前記電気機器の定格電流値以上である状態が予め定められた時間以上継続した場合に、前記遮断回路に前記電気機器への電力供給を遮断させる、
請求項１に記載の電力供給制御システム。
【請求項３】
前記電気機器の定格電流値は、前記電気機器の動作モードごとに定められた値である、
請求項１または２に記載の電力供給制御システム。
【請求項４】
前記電気機器はその定格電流値を記憶し、
前記制御装置は、前記電気機器からその定格電流値を取得する、
請求項１から３のいずれか１項に記載の電力供給制御システム。
【請求項５】
前記電気機器の定格電流値は、前記電力供給制御システムの外部サーバーに格納され、
前記制御装置は、前記外部サーバーから前記電気機器の定格電流値を取得する、
請求項１から３のいずれか１項に記載の電力供給制御システム。
【請求項６】
差込口システムに接続された電気機器の電流を測定し、
前記測定した電流が前記電気機器の定格電流値以上の場合に、前記差込口システムの遮断回路に前記電気機器への電力供給を遮断させる、
電力供給制御方法。
【発明の詳細な説明】
【技術分野】
【０００１】
この発明は、電力供給制御システムおよび電力供給制御方法に関する。
【背景技術】
【０００２】
一般家庭で使用される家電製品において、製品の不具合に起因して過大な電流が流れてしまう場合がある。
【０００３】
こうした問題を避けるため、一般的な家電製品には安全装置が組み込まれており、不具合が発生したときには安全装置が作動して製品への電源供給を遮断する設計がなされている。あるいは、不具合が発生した製品が接続されている差込口、すなわちコンセントに一定以上の電流が流れると、分岐ブレーカが電源を遮断し、製品に電源が供給されない仕組みとなっている。
【０００４】
特許文献１には、予め設定された条件が満たされた場合、接続された電気機器への電力供給を選択的にオンまたはオフすることが可能なコンセント及び配電システムが提案されている。
【先行技術文献】
【特許文献】
【０００５】
【特許文献１】特開２０１１−１０１５３６号公報
【発明の概要】
【発明が解決しようとする課題】
【０００６】
特許文献１の技術では、全電気機器へ供給する電流の合計値が電力会社と契約した契約電流を超えないよう、使用する電気機器に優先順位をつけ、優先順位の低い電気機器への電力供給を選択的にオフしている。このように、特許文献１の技術では、電気機器への電力供給をオフするかどうかを、宅内の供給電流の合計値に基づき判定しているため、個々の電気機器に異常が発生しているかを判定できない。
【０００７】
一般的に、分岐ブレーカが作動する電流の設定値は固定であり、かつ個々の電気機器の定格電流より大きい値である。そのため、電気機器に異常が発生し過大な電流が流れても、電流値が分岐ブレーカの作動する電流値に到達しなければ、電気機器に電力が供給され続けてしまう。
【０００８】
電気機器に組み込まれる安全装置の一例として、電流ヒューズが挙げられる。電流ヒューズの内部のエレメントは、その電気性能上、電流ヒューズに流れる電流とその流れる時間に応じて溶断する。従って、電気機器に瞬間的に過大な電流が流れた場合、ヒューズが溶断に至らないか、溶断するまで時間がかかることになる。その結果、異常のある電気機器へ電力が供給され続けてしまうという問題がある。
【０００９】
本発明は上述の問題に鑑みてなされたものであり、異常が発生した電気機器への電力供給を遮断することを目的とする。
【課題を解決するための手段】
【００１０】
本発明の電力供給制御システムは、電気機器が接続される差込口システムと、電気機器への電力供給を制御する制御装置と、を備え、差込口システムは、電気機器への電力供給を遮断する遮断回路と、電気機器に流れる電流を測定する電流計測部と、を備え、制御装置は、電流計測部による電流測定値が電気機器の定格電流値以上の場合に、遮断回路に電気機器への電力供給を遮断させる。
【００１１】
本発明の電力供給制御方法は、差込口システムに接続された電気機器の電流を測定し、測定した電流が電気機器の定格電流値以上の場合に、差込口システムの遮断回路に電気機器への電力供給を遮断させる。
【発明の効果】
【００１２】
本発明の電力供給制御システムは、電気機器が接続される差込口システムと、電気機器への電力供給を制御する制御装置と、を備え、差込口システムは、電気機器への電力供給を遮断する遮断回路と、電気機器に流れる電流を測定する電流計測部と、を備え、制御装置は、電流計測部による電流測定値が電気機器の定格電流値以上の場合に、遮断回路に電気機器への電力供給を遮断させる。従って、本発明の電力供給制御システムによれば、異常が発生した電気機器への電力供給を遮断することができる。
【００１３】
本発明の電力供給制御方法は、差込口システムに接続された電気機器の電流を測定し、測定した電流が電気機器の定格電流値以上の場合に、差込口システムの遮断回路に電気機器への電力供給を遮断させる。従って、本発明の電力供給制御方法によれば、異常が発生した電気機器への電力供給を遮断することができる。
【図面の簡単な説明】
【００１４】
【図１】実施の形態１に係る電力供給制御システムのブロック図である。
【図２】差込口システムの内部構成を示すブロック図である。
【図３】電気機器の内部構成を示すブロック図である。
【図４】実施の形態１の制御装置による定格電流値の読み込み処理を示すフローチャートである。
【図５】実施の形態１の電気機器への電力供給遮断処理を示すフローチャートである。
【図６】記憶装置に格納された、電気機器の動作モードごとの定格電流値の情報を示す図である。
【図７】実施の形態２の制御装置による動作モード別定格電流値情報の読み込み処理を示すフローチャートである。
【図８】実施の形態２の電気機器への電力供給遮断処理を示すフローチャートである。
【図９】実施の形態３に係る電力供給制御システムの構成を示すブロック図である。
【図１０】実施の形態３の制御装置による定格電流値の読み込み処理を示すフローチャートである。
【図１１】実施の形態４の制御装置による動作モード別定格電流値情報の読み込み処理を示すフローチャートである。
【発明を実施するための形態】
【００１５】
＜Ａ．実施の形態１＞
＜Ａ−１．構成＞
図１は実施の形態１に係る電力供給制御システム１０１のブロック図である。以下、図１を用いて電力供給制御システム１０１について説明する。
【００１６】
電力供給制御システム１０１は、家庭内電力供給制御システムであり、分電盤１、電流監視装置２０、制御装置３０、差込口システム４０、および電気機器５０を備えて構成される。
【００１７】
分電盤１は、各家庭に設置される分電盤であり、１つの主幹ブレーカ２と複数の分岐ブレーカ３を備えている。主幹ブレーカ２には、宅内の電源系統から引き込まれた線が電力メータを介して接続される。主幹ブレーカ２は、各分岐ブレーカ３と分岐用配線４で接続される。各分岐ブレーカ３は、複数の差込口システム４０と分岐用配線４で接続される。１つの差込口システム４０は、１つの電気機器５０と電源コード５により１対１で接続され、こうして電気機器５０へ電力が供給される。
【００１８】
電流監視装置２０は、制御部２１、記憶装置２２及び通信部２３を備えて構成される。電流監視装置２０は、制御装置３０と通信路６で接続され、各差込口システム４０と電流ケーブル１１で接続される。
【００１９】
制御装置３０は、制御部３１、記憶装置３２及び通信部３３を備えて構成される。制御装置３０は、各差込口システム４０と制御線１２で接続され、さらに各電気機器５０と通信線１３で接続される。制御装置３０はホームゲートウェイの機能を有しており、各電気機器５０と通信線１３を介してＬＡＮ（Ｌｏｃａｌ  Ａｒｅａ  Ｎｅｔｗｏｒｋ）等により通信することができる。なお、通信線１３は有線通信または無線通信のどちらでも良い。
【００２０】
＜Ａ−２．動作＞
主幹ブレーカ２は、漏電の際、また各分岐ブレーカ３の電流値の合計が規定値を超えた場合に遮断する。
【００２１】
各分岐ブレーカ３は、流れる電流が遮断電流値ＩＢ以上になると遮断する。その結果、当該分岐ブレーカ３に接続されているすべての差込口システム４０へ電力が供給されなくなり、さらに電力が供給されなくなった各差込口システム４０に接続されているすべての電気機器５０へ電力が供給されなくなり、電気機器５０が動作しなくなる。本実施の形態では、遮断電流値ＩＢを２０Ａとする。
【００２２】
電流監視装置２０において、通信部２３は、全ての差込口システム４０で測定された電流データを受信する。制御部２１は、電流データを記憶装置２２に格納されているプログラムに則って処理し、記憶装置２２に格納する。通信部２３は、制御装置３０からの要求に従い、通信路６を介して電流データを制御装置３０へ送信する。
【００２３】
制御装置３０において、通信部３３は、各電気機器５０からの接続完了通知と共に、各電気機器５０の識別管理番号、差込口システム４０の識別管理番号、および各電気機器５０の定格電流値ＩＲを受信する。各電気機器５０の識別管理番号、差込口システム４０の識別管理番号、および各電気機器５０の定格電流値ＩＲは、記憶装置３２に格納される。制御装置３０は、電流監視装置２０へ差込口システム４０の電流データの送信を時間間隔Ｔ１ごとに要求し、それに応じて電流監視装置２０から送信された電流データを通信部３３で受信する。制御装置３０による電流データの送信要求は、差込口システム４０の識別管理番号を指定して行われる。制御部３１は、記憶装置３２に記憶されたプログラムに則って、電流監視装置２０から受信した電流データの最大値を選択し、これを電流値Ｉ１として記憶装置３２に格納する。
【００２４】
上述した、電流データを受信し電流値Ｉ１を格納する処理は、電気機器５０と接続されていることが確認できている、すなわち記憶装置３２に格納されている全ての識別管理番号の差込口システム４０について行われる。
【００２５】
図２は差込口システム４０の内部構成を示すブロック図である。以下、図２に沿って差込口システム４０の動作を説明する。
【００２６】
差込口システム４０は、電流計測部４１、制御部４２、遮断回路４３、記憶装置４４、通信部４５、および差込口４６を備えて構成される。通信部４５が、制御線１２を介して制御装置３０から差込口システム４０の識別管理番号を受信すると、制御部４２が記憶装置４４に格納されたプログラムに則って処理を行い、記憶装置４４に識別管理番号が記憶される。この処理は、制御装置３０の初期設定時に全ての差込口システム４０で行われる。
【００２７】
電流計測部４１は、分岐用配線４に流れる電流を計測する。例えば、電流計測部４１は電流センサＣＴ（Ｃｕｒｒｅｎｔ  Ｔｒａｎｓｆｏｒｍｅｒ）等を使用し、分岐用配線４に流れる電流を数値化する。制御部４２は、記憶装置４４に格納されたプログラムに則って数値化された電流データを処理する。電流データは、電流測定ケーブル１１を介して通信部４５から電流監視装置２０へ送信される。
【００２８】
通信部４５が、制御線１２を介して制御装置３０から遮断指示を受信すると、制御部４２が遮断回路４３を制御し、差込口４６への電流を遮断する。制御部４２による遮断回路４３の制御は、記憶装置４４に格納されたプログラムに則って行われる。これにより、電源プラグで差込口４６に接続された電気機器５０への電力供給が遮断される。
【００２９】
図３は、電気機器５０の内部構成を示すブロック図である。以下、図３に沿って電気機器５０について説明する。
【００３０】
電気機器５０は、制御部５１、記憶装置５２、および通信部５３を備えて構成される。また、図３には図示しないが、電気機器５０は電源プラグを備えている。電気機器５０の電源プラグが差込口システム４０の差込口４６に接続されることにより、電気機器５０に電力が供給され、電気機器５０は動作する。このとき、制御部５１が記憶装置５２に格納されたプログラムに則った処理を行い、その結果として各電気機器５０は固有の動作をする。例えば、電気機器５０をテレビとすれば、テレビ受信用チューナ（図示せず）が受信した信号を受信部（図示せず）が映像信号および音声信号に復号する。そして、映像処理部（図示せず）及び音声処理部（図示せず）が映像信号および音声信号を処理し、画面（図示せず）及びスピーカ（図示せず）から映像及び音声を出力する。この場合、図３に示す制御部５１が上述の受信部、映像処理部、および音声処理部として動作する。
【００３１】
また、記憶装置５２には電気機器５０を特定するための識別管理番号及び定格電流値ＩＲが記憶されている。定格電流値ＩＲは、分岐ブレーカ３の遮断電流値ＩＢよりも小さい値に設定され、かつ電源プラグを差し込む際などに瞬間的に流れる突入電流以外、通常使用状態では電気機器５０に流れることがない電流値に設定されている。通信部５３は、制御装置３０から定格電流値ＩＲの読出し指示を受信すると、通信線１３を介して制御装置３０へ定格電流値ＩＲを送信する。この通信部５３の動作は、制御部５１が記憶装置５２に格納されたプログラムを実行することにより、制御部５１の制御の下で行われる。
【００３２】
図４は、実施の形態１の制御装置３０による定格電流値ＩＲの読み込み処理を示すフローチャートの一例を示している。以下、図４のフローに沿って、制御装置３０による定格電流値ＩＲの読み込み処理を説明する。
【００３３】
まず、制御部３１は、通信部３３が電気機器５０から接続完了通知を受信したか否かを判断する（ステップＳ１０）。このステップは、電気機器５０が差込口システム４０に接続されているか否かを確認するためのステップである。電気機器５０の電源プラグが差込口システム４０の差込口４６に接続されていなければ、電気機器５０へ電力が供給されないため、制御装置３０と電気機器５０は通信線１３を介して通信できない。このとき、通信部３３は接続完了通知を受信しないため、制御部３１はステップＳ１０でＮｏと判断する。制御部３１はステップＳ１０でＮｏと判断すると、Ｙｅｓと判断するまでステップＳ１０を繰り返す。すなわち、制御装置３０は、通信部３３が電気機器５０から接続完了通知を受信するまでウェイト状態となる。
【００３４】
電気機器５０の電源プラグが差込口システム４０の差込口４６に接続されていれば、電気機器５０へ電力が供給される。このとき、通信部３３は電気機器５０から通信線１３を介して接続完了通知を受信する。従って、制御部３１はステップＳ１０でＹｅｓと判断する。
【００３５】
通信部３３が電気機器５０から接続完了通知を受信すると（ステップＳ１０でＹｅｓ）、制御装置３０の処理はステップＳ１１に移行する。ステップＳ１１において、通信部３３が制御線１２を介して、差込口システム４０からその識別管理番号を受信する。すると、制御部３１は、記憶装置３２に格納されているプログラムに則って、通信部３３で受信した差込口システム４０の識別管理番号を記憶装置３２に格納する（ステップＳ１１）。
【００３６】
次に、通信部３３は通信線１３を介して、電気機器５０からその識別管理番号を受信する。制御部３１は、記憶装置３２に格納されているプログラムに則って、電気機器５０の識別管理番号を、ステップＳ１１で受信した差込口システム４０の識別管理番号に紐付けて記憶装置３２に格納する（ステップＳ１２）。
【００３７】
次に、通信部３３は、通信線１３を介して、電気機器５０の記憶装置５２に記憶されている定格電流値ＩＲを読み込む（ステップＳ１３）。
【００３８】
次に、制御部３１は、記憶装置３２に格納されているプログラムに則って、ステップＳ１３で読み込んだ電気機器５０の定格電流値ＩＲを、ステップＳ１２で格納した電気機器５０の識別管理番号に紐づけて記憶装置３２に格納する（ステップＳ１４）。以上で、制御装置３０による定格電流値ＩＲの読み込み処理が終了する。
【００３９】
図５は、実施の形態１の電気機器５０への電力供給遮断処理を示すフローチャートの一例を示している。以下、図５に沿って電気機器５０への電力供給遮断処理を説明する。
【００４０】
まず、制御装置３０が、時間間隔Ｔ１ごとに電気機器５０の電流値Ｉ１を収集する（ステップＳ１００）。具体的には、差込口システム４０の電流計測部４１が、差込口４６に接続された電気機器５０の電流を例えば一定周期など所定のタイミングで測定しており、この測定値が通信部４５から電流測定ケーブル１１を介して電流監視装置２０に送信される。電流監視装置２０は、差込口システム４０から取得した測定値の時間間隔Ｔ１における最大値を算出し、この最大値を電気機器５０の電流値Ｉ１とする。電流監視装置２０の通信部２３は、時間間隔Ｔ１ごとに電流値Ｉ１を制御装置３０の通信部３３へ送信する。制御装置３０の制御部３１は、通信部３３が受信した電流値Ｉ１を、記憶装置３２へ格納する。
【００４１】
次に、制御部３１は、ステップＳ１００で収集した電流値Ｉ１を、記憶装置３２に格納されている電気機器５０の定格電流値ＩＲと比較し、定格電流値ＩＲ≦電流値Ｉ１か否かを判断する（ステップＳ１０１）。定格電流値ＩＲ＞電流値Ｉ１であれば、制御装置３０は、定格電流値ＩＲ≦電流値Ｉ１となるまで電流値Ｉ１の収集（ステップＳ１００）を繰り返す。
【００４２】
制御部３１が定格電流値ＩＲ≦電流値Ｉ１と判断すると、電力供給遮断処理はステップＳ１０２へ移行する。ステップＳ１０２からステップＳ１０５は、電流値Ｉ１が差込プラグを差し込む際などに瞬間的に流れる突入電流などでないか判定するため、監視規定時間ＴＭの間継続してＩＲ≦Ｉ１かどうかを判定するステップである。
【００４３】
Ｓ１０２において、制御部３１は監視経過時間ＴＥを０に設定し、監視経過時間の計測を開始する。
【００４４】
次に、制御装置３０が、電気機器５０の電流値Ｉ１を時間間隔Ｔ１ごとに再度収集する（ステップＳ１０３）。
【００４５】
次に、制御部３１は、ステップＳ１０３で収集した電流値Ｉ１を、電気機器５０の定格電流値ＩＲと比較し、定格電流値ＩＲ≦電流値Ｉ１か否かを判断する（ステップＳ１０４）。定格電流値ＩＲ＞電流値Ｉ１であれば、制御部３１は、電気機器５０に異常が発生していないと判断し、電力供給遮断処理を終了する。すなわち、電気機器５０への電力供給は継続される。他方、定格電流値ＩＲ≦電流値Ｉ１であれば、電力供給遮断処理は次のステップＳ１０５へ移行する。
【００４６】
ステップＳ１０５において、制御部３１は、監視経過時間ＴＥを監視規定時間ＴＭと比較し、監視経過時間ＴＥが監視規定時間ＴＭより長いか否かを判断する。監視経過時間ＴＥが監視規定時間ＴＭ以下であれば、電流値Ｉ１が定格電流値ＩＲ以上であるものの、異常状態が継続しているか確定できない。従って、制御部３１は、監視経過時間ＴＥに時間間隔Ｔ１を加算したものを新たな監視経過時間ＴＥとし（ステップＳ１０６）、ステップＳ１０３に戻って電流値Ｉ１の収集を継続する。
【００４７】
他方、監視経過時間ＴＥが監視規定時間ＴＭより長ければ、制御部３１は電気機器５０に異常が発生しているものと判断する。そして、制御部３１は、制御線１２を介して差込口システム４０に遮断回路４３を遮断するよう指示する（ステップＳ１０７）。この指示に応じて遮断回路４３が遮断されることにより、電気機器５０への電力供給が遮断される。
【００４８】
＜Ａ−３．効果＞
実施の形態１に係る電力供給制御システム１０１は、電気機器５０が接続される差込口システム４０と、電気機器５０への電力供給を制御する制御装置３０と、を備える。差込口システム４０は、電気機器５０への電力供給を遮断する遮断回路４３と、電気機器５０に流れる電流を測定する電流計測部４１と、を備える。制御装置３０は、電流計測部４１による電流測定値が電気機器５０の定格電流値ＩＲ以上の場合に、遮断回路４３に電気機器５０への電力供給を遮断させる。従って、電力供給制御システム１０１によれば、異常が発生した電気機器への電力供給を素早く遮断することができる。
【００４９】
また、制御装置３０は、電流計測部４１による電流測定値が電気機器５０の定格電流値ＩＲ以上である状態が予め定められた時間である監視規定時間ＴＭ以上継続した場合に、遮断回路４３に電気機器５０への電力供給を遮断させる。従って、電気機器５０への電力供給は突入電流によっては遮断されない。
【００５０】
また、電気機器５０はその定格電流値ＩＲを記憶し、制御装置３０は、電気機器５０からその定格電流値ＩＲを取得する。従って、電力供給制御システム１０１によれば、電気機器５０に流れる異常電流を素早く検知し、必要に応じて電気機器５０への電力供給を遮断することができる。
【００５１】
また、実施の形態１に係る電力供給制御方法によれば、差込口システムに接続された電気機器の電流を測定し、測定した電流が電気機器の定格電流値以上の場合に、差込口システムの遮断回路に電気機器への電力供給を遮断させる。従って、電気機器５０に流れる異常電流を素早く検知し、必要に応じて電気機器５０への電力供給を遮断することができる。
【００５２】
＜Ｂ．実施の形態２＞
＜Ｂ−１．構成＞
電気機器は、一般的に通常動作モードと待機モードという２つの動作モードを有する。通常動作モードとは、主機能を実現するための動作を行う動作モードである。待機モードとは、主機能を実現せず消費電力を最小限に抑えた動作を行う動作モードである。テレビを電気機器の例として挙げると、テレビ番組などを視聴するために映像表示または音声出力などを行う動作モードが通常動作モードであり、映像表示または音声出力などを行わない動作モードが待機モードである。これら２つの動作モードにおいて、電気機器が使用する電流は異なる。一般的に、通常動作モードにおいて電気機器が使用する電流は、待機モードにおけるそれに比べて大きい。
【００５３】
従って、実施の形態２では、動作モード毎に電気機器の定格電流を設定し、電気機器を監視する。これにより、各動作モードで通常流れない異常な電流を瞬時に検出し、電気機器への電力供給を速やかに遮断することができる。
【００５４】
実施の形態２の電力供給制御システム１０２の構成は、図１に示した実施の形態１の電力供給制御システム１０１と同様である。電力供給制御システム１０２が電力供給制御システム１０１と異なるのは、電気機器５０の記憶装置５２に記憶される定格電流値の内容である。実施の形態２の記憶装置５２には、電気機器５０の定格電流値が動作モードごとに記憶されている。図６は、記憶装置５２に格納された、電気機器５０の動作モードごとの定格電流値の情報を示している。以下、電気機器５０の動作モードごとの定格電流値の情報を「動作モード別定格電流値情報」と称する。動作モード別定格電流値情報は、具体的には、電気機器５０の各動作モードの通し番号、動作モード名、定格電流値が配列として記憶装置５２に格納されている。電気機器５０の各動作モードの通し番号は、各動作モードを区別するため、各動作モードに対して１から順番に割り振られている。
【００５５】
＜Ｂ−２．動作＞
制御装置３０において、通信部３３は、各電気機器５０からの接続完了通知と共に、各電気機器５０および各差込口システム４０の識別管理番号を受信する。
【００５６】
通信部３３は、各電気機器５０に、定格電流値の読み出し指示を送信する。すると、制御部５１は記憶装置５２に格納されたプログラムに則った処理を行い、通信部５３は通信線１３を介して、制御装置３０へ電気機器５０の動作モード別定格電流値情報を送信する。動作モード別定格電流値情報は、記憶装置５２に格納される。
【００５７】
制御装置３０は、電流監視装置２０から、時間間隔Ｔ１ごとに、電気機器５０の電流値Ｉ１を取得する。通信部３３は、この時間間隔Ｔ１にあわせて、指定した識別管理番号の電気機器５０に動作モードを問い合わせる。電気機器５０は、この問い合わせ時の動作モードを、図６に示す各動作モードの中の一つの番号、または動作モード名によって通信部３３に送信する。
【００５８】
制御部３１は、記憶装置３２に記憶されているプログラムに則った処理を行う。具体的には、制御部３１は、動作モード別定格電流値情報を参照し、電気機器５０の現在の動作モードにおける定格電流値を記憶装置３２に格納する。
【００５９】
例えば、記憶装置３２に動作モード別定格電流値情報として、［１、通常動作モード、５．０Ａ］、［２、待機モード、１．０Ａ］という配列が記憶されているとする。制御装置３０から電気機器５０への問い合わせに応答して、電気機器５０から制御装置３０へ「２」または「待機モード」が送信された場合、制御装置３０の記憶装置３２には、「定格電流値ＩＲ［２］＝１．０Ａ」が格納される。
【００６０】
制御装置３０による電流値Ｉ１の収集、差込口システム４０の電力供給遮断の動作は実施例１で説明した内容と同じである。
【００６１】
図７は、実施の形態２の制御装置３０による動作モード別定格電流値情報の読み込み処理を示すフローチャートの一例を示している。以下、図７のフローに沿って、実施の形態２の制御装置３０による動作モード別定格電流値情報の読み込み処理を説明する。
【００６２】
まず、制御部３１は、通信部３３が電気機器５０から接続完了通知を受信したか否かを判断する（ステップＳ２０）。このステップは、電気機器５０が差込口システム４０に接続されているか否かを確認するためのステップである。電気機器５０の電源プラグが差込口システム４０の差込口４６に接続されていなければ、電気機器５０へ電力が供給されないため、制御装置３０と電気機器５０は通信線１３を介して通信できない。このとき、通信部３３は接続完了通知を受信しないため、制御部３１はステップＳ２０でＮｏと判断する。制御部３１はステップＳ２０でＮｏと判断すると、Ｙｅｓと判断するまでステップＳ２０を繰り返す。すなわち、制御装置３０は、通信部３３が電気機器５０から接続完了通知を受信するまでウェイト状態となる。
【００６３】
電気機器５０の電源プラグが差込口システム４０の差込口４６に接続されていれば、電気機器５０へ電力が供給される。このとき、通信部３３は電気機器５０から通信線１３を介して接続完了通知を受信する。従って、制御部３１はステップＳ２０でＹｅｓと判断する。
【００６４】
通信部３３が電気機器５０から接続完了通知を受信すると（ステップＳ２０でＹｅｓ）、制御装置３０の処理はステップＳ２１に移行する。ステップＳ２１において、通信部３３が制御線１２を介して、差込口システム４０からその識別管理番号を受信する。すると、制御部３１は、記憶装置３２に格納されているプログラムに則って、通信部３３で受信した差込口システム４０の識別管理番号を記憶装置３２に格納する（ステップＳ２１）。
【００６５】
次に、通信部３３は通信線１３を介して、電気機器５０からその識別管理番号を受信する。制御部３１は、記憶装置３２に格納されているプログラムに則って、電気機器５０の識別管理番号を、ステップＳ２１で受信した差込口システム４０の識別管理番号に紐付けて記憶装置３２に格納する（ステップＳ２２）。
【００６６】
次に、通信部３３は、通信線１３を介して、電気機器５０の記憶装置５２に記憶されている動作モード別定格電流値情報を読み込む（ステップＳ２３）。
【００６７】
次に、制御部３１は、記憶装置３２に格納されているプログラムに則って、ステップＳ２３で読み込んだ電気機器５０の動作モード別定格電流値情報を、ステップＳ２２で格納した電気機器５０の識別管理番号に紐づけて記憶装置３２に格納する（ステップＳ２４）。以上で、制御装置３０による動作モード別定格電流値情報の読み込み処理が終了する。
【００６８】
図８は、実施の形態２の電気機器５０への電力供給遮断処理を示すフローチャートの一例を示している。以下、図８に沿って電気機器５０への電力供給遮断処理を説明する。
【００６９】
まず、制御装置３０が、時間間隔Ｔ１ごとに電気機器５０の動作モードｎを収集する（ステップＳ２００）。ここで通信部３３は、電気機器５０の動作モードｎを特定する情報として、図６に示す動作モードの通し番号ｎ、または動作モード名を電気機器５０から取得する。ステップＳ２００で収集した動作モードｎの情報は、制御装置３０の記憶装置３２に記憶される。
【００７０】
次に、制御装置３０が、時間間隔Ｔ１ごとに電気機器５０の電流値Ｉ１を収集する（ステップＳ２０１）。具体的には、差込口システム４０の電流計測部４１が、差込口４６に接続された電気機器５０の電流を例えば一定周期など所定のタイミングで測定しており、この測定値が通信部４５から電流測定ケーブル１１を介して電流監視装置２０に送信される。電流監視装置２０は、差込口システム４０から取得した測定値の時間間隔Ｔ１における最大値を算出し、この最大値を電気機器５０の電流値Ｉ１とする。電流監視装置２０の通信部２３は、時間間隔Ｔ１ごとに電流値Ｉ１を制御装置３０の通信部３３へ送信する。制御装置３０の制御部３１は、通信部３３が受信した電流値Ｉ１を、記憶装置３２へ格納する。
【００７１】
次に、制御部３１は、ステップＳ２００で収集した動作モードｎに対応する定格電流値ＩＲ［ｎ］を動作モード別定格電流値情報から取得し、ステップＳ２０１で収集した電気機器５０の電流値Ｉ１を、定格電流値ＩＲ［ｎ］と比較する。具体的には、制御部３１は、定格電流値ＩＲ［ｎ］≦電流値Ｉ１であるかを判断する（ステップＳ２０２）。定格電流値ＩＲ［ｎ］＞電流値Ｉ１であれば（ステップＳ２０２でＮｏ）、電力供給遮断処理はステップＳ２００に戻り、ステップＳ２０２で定格電流値ＩＲ［ｎ］≦電流値Ｉ１になるまで、制御装置３０は動作モードと電流値Ｉ１の収集を繰り返す。
【００７２】
定格電流値ＩＲ［ｎ］≦電流値Ｉ１になると（ステップＳ２０２でＹｅｓ）、電力供給遮断処理はステップＳ２０３へ移行する。ステップＳ２０３からステップＳ２０８は、電流値Ｉ１が差込プラグを差し込む際などに瞬間的に流れる突入電流などでないか判定するため、監視規定時間ＴＭの間継続してＩＲ［ｎ］≦Ｉ１かどうかを判定するステップである。
【００７３】
Ｓ２０３において、制御部３１は監視経過時間ＴＥを０に設定し、監視経過時間の計測を開始する。
【００７４】
次に、制御装置３０が、電気機器５０の動作モードを時間間隔Ｔ１ごとに再度収集し（ステップＳ２０４）、電気機器５０の電流値Ｉ１を時間間隔Ｔ１ごとに再度収集する（ステップＳ２０５）。
【００７５】
次に、制御部３１は、ステップＳ２０２で収集した電流値Ｉ１を、電気機器５０の定格電流値ＩＲ［ｎ］と比較し、定格電流値ＩＲ［ｎ］≦電流値Ｉ１か否かを判断する（ステップＳ２０６）。定格電流値ＩＲ［ｎ］＞電流値Ｉ１であれば、制御部３１は、電気機器５０に異常が発生していないと判断し、電力供給遮断処理を終了する。すなわち、電気機器５０への電力供給は継続される。他方、定格電流値ＩＲ≦電流値Ｉ１であれば、電力供給遮断処理は次のステップＳ２０７へ移行する。
【００７６】
ステップＳ２０７において、制御部３１は、監視経過時間ＴＥを監視規定時間ＴＭと比較し、監視経過時間ＴＥが監視規定時間ＴＭより長いか否かを判断する。監視経過時間ＴＥが監視規定時間ＴＭ以下であれば、電流値Ｉ１が定格電流値ＩＲ［ｎ］以上であるものの、異常状態が継続しているか確定できない。従って、制御部３１は、監視経過時間ＴＥに時間間隔Ｔ１を加算したものを新たな監視経過時間ＴＥとし（ステップＳ２０８）、ステップＳ２０４に戻って動作モードと電流値Ｉ１の収集を継続する。
【００７７】
他方、監視経過時間ＴＥが監視規定時間ＴＭより長ければ、制御部３１は電気機器５０に異常が発生していると判断する。そして、制御部３１は、制御線１２を介して差込口システム４０に遮断回路４３を遮断するよう指示する（ステップＳ２０９）。この指示に応じて遮断回路４３が遮断されることにより、電気機器５０への電力供給が遮断される。
【００７８】
＜Ｂ−３．効果＞
実施の形態２の電力供給制御システム１０２において、電気機器５０の定格電流値は、その動作モードごとに定められた値である。従って、電力供給制御システム１０２によれば、電気機器５０に流れる異常電流を動作モードごとに素早く検知し、必要に応じて電気機器５０への電力供給を遮断することができる。
【００７９】
＜Ｃ．実施の形態３＞
＜Ｃ−１．構成＞
実施の形態１では、電気機器５０の記憶装置５２に定格電流値ＩＲが格納され、制御装置３０が電気機器５０から定格電流値ＩＲを取得する場合について説明した。実施の形態３では、電気機器５０の定格電流値ＩＲがクラウドサーバーに格納され、制御装置３０がインターネットを介してクラウドサーバーから定格電流値ＩＲを取得する場合について説明する。なお、クラウドサーバーは電力供給制御システムの外部にある外部サーバーの一例であり、インターネットはネットワークの一例である。
【００８０】
図９は、実施の形態３に係る電力供給制御システム１０３の構成を示すブロック図である。電力供給制御システム１０３は、図１に示した電力供給制御システム１０３の構成に加えて、ブロードバンドルーター６０、インターネット７０、およびクラウドサーバー８０を備えている。
【００８１】
制御装置３０はブロードバンドルーター６０に接続され、公衆回線６１を介してインターネット７０等にアクセスすることができる。インターネット７０にはクラウドサーバー８０が接続されている。
【００８２】
クラウドサーバー８０には、電気機器５０の定格電流値ＩＲが、電気機器５０の識別管理番号に紐付けて格納されている。識別管理番号は電気機器５０を特定するための管理番号であり、例えば、電気用品名、製造業者、モデル名、およびＪＡＮコードなどである。この識別管理番号は、実施の形態１で説明した電気機器５０の記憶装置５２に記憶されている識別管理番号と同じ情報でもよい。
【００８３】
制御装置３０は、公衆回線６１を介してクラウドサーバー８０から電気機器５０の定格電流値ＩＲを収集する。そして、制御装置３０は、実施の形態１で説明した方法により、電気機器５０に流れる電流値Ｉ１が定格電流値ＩＲを超えた場合に、差込口システム４０の遮断回路４３を遮断する。
【００８４】
制御装置３０において、通信部３３は、各電気機器５０からの接続完了通知と共に、各電気機器５０の識別管理番号、各差込口システム４０の識別管理番号を受信する。各電気機器５０および各差込口システム４０の識別管理番号は、記憶装置３２に格納される。制御装置３０は、記憶装置３２に格納された電気機器５０の識別管理番号を基に、ブロードバンドルーター６０、公衆回線６１、およびインターネット７０を介してクラウドサーバー８０へ問い合わせを行う。そして、制御装置３０は、電気機器５０の識別管理番号と一致する情報をクラウドサーバー８０に検出すると、クラウドサーバー８０において識別管理番号に紐付けられた定格電流値ＩＲを、クラウドサーバー８０から入手する。定格電流値ＩＲは、記憶装置３２に格納されているプログラムに則って制御部３１で処理され、記憶装置３２に格納される。
【００８５】
＜Ｃ−２．動作＞
制御装置３０による電流値Ｉ１の収集処理と、差込口システム４０における電力供給遮断処理は、実施の形態１で説明した内容と同じであるため、ここでは説明を省略する。
【００８６】
図１０は、実施の形態３の制御装置３０による定格電流値ＩＲの読み込み処理を示すフローチャートの一例を示している。以下、図１０のフローに沿って、制御装置３０がクラウドサーバー８０から電気機器５０の定格電流値ＩＲの読み込む動作について説明する。
【００８７】
まず、制御部３１は、通信部３３が電気機器５０から接続完了通知を受信したか否かを判断する（ステップＳ３０）。このステップは、電気機器５０が差込口システム４０に接続されているか否かを確認するためのステップである。電気機器５０の電源プラグが差込口システム４０の差込口４６に接続されていなければ、電気機器５０へ電力が供給されないため、制御装置３０と電気機器５０は通信線１３を介して通信できない。このとき、通信部３３は接続完了通知を受信しないため、制御部３１はステップＳ３０でＮｏと判断する。制御部３１はステップＳ３０でＮｏと判断すると、ステップＳ３０でＹｅｓと判断するまでステップＳ３０を繰り返す。すなわち、制御装置３０は、通信部３３が電気機器５０から接続完了通知を受信するまでウェイト状態となる。
【００８８】
電気機器５０の電源プラグが差込口システム４０の差込口４６に接続されていれば、電気機器５０へ電力が供給される。このとき、通信部３３は電気機器５０から通信線１３を介して接続完了通知を受信する。従って、制御部３１はステップＳ３０でＹｅｓと判断する。
【００８９】
通信部３３が電気機器５０から接続完了通知を受信すると（ステップＳ３０でＹｅｓ）、制御装置３０の処理はステップＳ３１に移行する。ステップＳ３１において、通信部３３が制御線１２を介して、差込口システム４０からその識別管理番号を受信する。すると、制御部３１は、記憶装置３２に格納されているプログラムに則って、通信部３３で受信した差込口システム４０の識別管理番号を記憶装置３２に格納する（ステップＳ３１）。
【００９０】
次に、通信部３３は通信線１３を介して、電気機器５０からその識別管理番号を受信する。制御部３１は、記憶装置３２に格納されているプログラムに則って、電気機器５０の識別管理番号を、ステップＳ３１で受信した差込口システム４０の識別管理番号に紐付けて記憶装置３２に格納する（ステップＳ３２）。
【００９１】
次に、通信部３３は、ステップＳ３２で入手した電気機器５０の識別管理番号を、ブロードバンドルーター６０、公衆回線６１、およびインターネット７０を介してクラウドサーバー８０へ問い合わせる（ステップＳ３３）。
【００９２】
クラウドサーバー８０に、問い合わせた電気機器５０の識別管理番号と同一の識別管理番号がある場合、通信部３３は、当該識別管理番号に紐付けられた電気機器５０の定格電流値ＩＲをクラウドサーバー８０から読み込む（ステップＳ３４）。
【００９３】
制御部３１は、記憶装置３２に格納されているプログラムに則って、ステップＳ３４で読み込んだ電気機器５０の定格電流値ＩＲを、ステップＳ３２で格納した電気機器５０の識別管理番号に紐づけて記憶装置３２に格納する（ステップＳ３５）。
【００９４】
実施の形態３における電気機器５０への電力供給遮断処理は、図５のフローチャートで説明した実施の形態１の手順と同様であるため、ここではその説明を省略する。
【００９５】
＜Ｃ−３．効果＞
実施の形態３の電力供給制御システム１０３において、電気機器５０の定格電流値ＩＲは、電力供給制御システム１０３の外部サーバーであるクラウドサーバー８０に格納される。そして、制御装置３０は、クラウドサーバー８０から電気機器５０の定格電流値ＩＲを取得する。従って、電力供給制御システム１０３によれば、電気機器５０に流れる異常電流を素早く検知し、必要に応じて電気機器５０への電力供給を遮断することができる。
【００９６】
＜Ｄ．実施の形態４＞
＜Ｄ−１．構成＞
実施の形態２では、制御装置３０が電気機器５０の記憶装置５２に格納された動作モード別定格電流値情報を取得して、電気機器５０の動作モード毎に遮断制御を行うことについて説明した。実施の形態４では、動作モード別定格電流値情報が電力供給制御システムの外部のサーバーであるクラウドサーバーに格納される場合について説明する。この場合、制御装置３０は、インターネットを介してクラウドサーバーから動作モード別定格電流値情報を取得する。
【００９７】
実施の形態４に係る電力供給制御システム１０４は、家庭内電力供給制御システムであり、その構成は、図９に示した実施の形態３に係る電力供給制御システム１０３の構成と同様である。
【００９８】
クラウドサーバー８０には、電気機器５０の動作モード別定格電流値情報が、電気機器５０の識別管理番号に紐付けて格納されている。識別管理番号は電気機器５０を特定するための管理番号であり、例えば、電気用品名、製造業者、モデル名、およびＪＡＮコードなどである。この識別管理番号は、実施の形態１で説明した電気機器５０の記憶装置５２に記憶されている識別管理番号と同じ情報でもよい。
【００９９】
＜Ｄ−２．動作＞
制御装置３０において、通信部３３は、各電気機器５０からの接続完了通知と共に、各電気機器５０および各差込口システム４０の識別管理番号を受信する。各電気機器５０および各差込口システム４０の識別管理番号は、記憶装置３２に格納される。
【０１００】
制御装置３０は、記憶装置３２に格納された電気機器５０の識別管理番号を基に、ブロードバンドルーター６０、公衆回線、およびインターネット７０を介してクラウドサーバー８０へ問い合わせを行う。問い合わせた電気機器５０の識別管理番号と一致する識別管理番号がクラウドサーバー８０に検出されると、制御装置３０は、クラウドサーバー８０において当該識別管理番号に紐付けられた動作モード別定格電流値情報を、クラウドサーバー８０から入手する。動作モード別定格電流値情報は、記憶装置３２に格納されているプログラムに則って制御部３１で処理され、記憶装置３２に格納される。
【０１０１】
制御装置３０は、指定した識別管理番号の電気機器５０の電流値Ｉ１を、時間間隔Ｔ１ごとに電流監視装置２０から取得する。通信部３３は、この時間間隔Ｔ１にあわせて、指定した識別管理番号の電気機器５０に動作モードを問い合わせる。電気機器５０は、問い合わせ時の動作モードを、図６に示す各動作モードの中の一つの番号、または動作モード名によって通信部３３に送信する。
【０１０２】
制御部３１は、記憶装置３２に記憶されているプログラムに則った処理を行う。具体的には、制御部３１は、動作モード別定格電流値情報を参照し、電気機器５０の現在の動作モードにおける定格電流値を記憶装置３２に格納する。
【０１０３】
例えば、記憶装置３２に動作モード別定格電流値情報として、［１、通常動作モード、５．０Ａ］、［２、待機モード、１．０Ａ］という配列が記憶されているとする。制御装置３０から電気機器５０への問い合わせに応答して、電気機器５０から制御装置３０へ「２」または「待機モード」が送信された場合、制御装置３０の記憶装置３２には、「定格電流値ＩＲ［２］＝１．０Ａ」が格納される。
【０１０４】
制御装置３０による電流値Ｉ１の収集、差込口システム４０の電力供給遮断の動作は実施例１で説明した内容と同じである。
【０１０５】
図１１は、実施の形態４の制御装置３０による動作モード別定格電流値情報の読み込み処理を示すフローチャートの一例を示している。以下、図１１のフローに沿って、制御装置３０がクラウドサーバー８０から動作モード別定格電流値情報を読み込む動作について説明する。
【０１０６】
まず、制御部３１は、通信部３３が電気機器５０から接続完了通知を受信したか否かを判断する（ステップＳ４０）。このステップは、電気機器５０が差込口システム４０に接続されているか否かを確認するためのステップである。電気機器５０の電源プラグが差込口システム４０の差込口４６に接続されていなければ、電気機器５０へ電力が供給されないため、制御装置３０と電気機器５０は通信線１３を介して通信できない。このとき、通信部３３は接続完了通知を受信しないため、制御部３１はステップＳ４０でＮｏと判断する。制御部３１はステップＳ４０でＮｏと判断すると、ステップＳ４０でＹｅｓと判断するまでステップＳ４０を繰り返す。すなわち、制御装置３０は、通信部３３が電気機器５０から接続完了通知を受信するまでウェイト状態となる。
【０１０７】
電気機器５０の電源プラグが差込口システム４０の差込口４６に接続されていれば、電気機器５０へ電力が供給される。このとき、通信部３３は電気機器５０から通信線１３を介して接続完了通知を受信する。従って、制御部３１はステップＳ４０でＹｅｓと判断する。
【０１０８】
通信部３３が電気機器５０から接続完了通知を受信すると（ステップＳ４０でＹｅｓ）、制御装置３０の処理はステップＳ４１に移行する。ステップＳ４１において、通信部３３が制御線１２を介して、差込口システム４０からその識別管理番号を受信する。すると、制御部３１は、記憶装置３２に格納されているプログラムに則って、通信部３３で受信した差込口システム４０の識別管理番号を記憶装置３２に格納する（ステップＳ４１）。
【０１０９】
次に、通信部３３は通信線１３を介して、電気機器５０からその識別管理番号を受信する。制御部３１は、記憶装置３２に格納されているプログラムに則って、電気機器５０の識別管理番号を、ステップＳ４１で受信した差込口システム４０の識別管理番号に紐付けて記憶装置３２に格納する（ステップＳ４２）。
【０１１０】
次に、通信部３３は、ステップＳ４２で入手した電気機器５０の識別管理番号を、ブロードバンドルーター６０、公衆回線６１、およびインターネット７０を介してクラウドサーバー８０へ問い合わせる（ステップＳ４３）。
【０１１１】
クラウドサーバー８０に、問い合わせた電気機器５０の識別管理番号と同一の識別管理番号がある場合、通信部３３は、当該識別管理番号に紐付けられた電気機器５０の動作モード別定格電流値情報をクラウドサーバー８０から読み込む（ステップＳ４４）。
【０１１２】
制御部３１は、記憶装置３２に格納されているプログラムに則って、ステップＳ４４で読み込んだ電気機器５０の動作モード別定格電流値情報を、ステップＳ４２で格納した電気機器５０の識別管理番号に紐づけて記憶装置３２に格納する（ステップＳ４５）。
【０１１３】
実施の形態４における電気機器５０への電力供給遮断手順は、図８のフローチャートで説明した実施の形態２の手順と同様であるため、ここではその説明を省略する。
【０１１４】
＜Ｄ−３．効果＞
実施の形態４の電力供給制御システム１０４において、電気機器５０の定格電流値ＩＲ［ｎ］は、電気機器５０の動作モードごとに定められている。定格電流値ＩＲ［ｎ］の情報である動作モード別定格電流値情報は、電力供給制御システム１０４の外部サーバーであるクラウドサーバー８０に格納される。そして、制御装置３０は、クラウドサーバー８０から電気機器５０の動作モード別定格電流値情報を取得する。従って、電気機器５０に流れる異常電流を動作モードごとに素早く検知し、必要に応じて電気機器５０への電力供給を遮断することができる。
【０１１５】
なお、本発明は、その発明の範囲内において、各実施の形態を自由に組み合わせたり、各実施の形態を適宜、変形、省略したりすることが可能である。
【符号の説明】
【０１１６】
１  分電盤、２  主幹ブレーカ、３  分岐ブレーカ、４  分岐用配線、５  電源コード、６  通信路、１１  電流測定ケーブル、１２  制御線、１３  通信線、２０  電流監視装置、２１，３１，４２，５１  制御部、２２，３２，４４，５２  記憶装置、２３，３３，４５，５３  通信部、３０  制御装置、４０  差込口システム、４１  電流計測部、４３  遮断回路、４６  差込口、５０  電気機器、６０  ブロードバンドルーター、６１  公衆回線、７０  インターネット、８０  クラウドサーバー、１０１，１０２，１０３，１０４  電力供給制御システム。
【図１】
2018196232.tif 000003
【図２】
2018196232.tif 000004
【図３】
2018196232.tif 000005
【図４】
2018196232.tif 000006
【図５】
2018196232.tif 000007
【図６】
2018196232.tif 000008
【図７】
2018196232.tif 000009
【図８】
2018196232.tif 000010
【図９】
2018196232.tif 000011
【図１０】
2018196232.tif 000012
【図１１】
2018196232.tif 000013